(57)【要約】【課題】コンテンツ再生装置において、所望するコンテンツをユーザに迅速に選択させる。【解決手段】本発明のコンテンツ再生装置１０は、ユーザインターフェース最適化処理部１１ｃが、コンテンツ情報テーブル１２ｂを参照して、リッピングアルバム数に対するリッピングアーティスト数、リッピングジャンル数、リッピング回数の比率をそれぞれ算出する。そして、この比率に基づき、表示部１３ａにユーザによるコンテンツ選択のために表示させるユーザインターフェースにおいて、どのようなプレイリストを表示させるためのプレイリスト表示ボタンを配置するかを決定するユーザインターフェース最適化処理をおこなう。【選択図】        図１
2009076158.tif 000002
【特許請求の範囲】
【請求項１】
内部の記憶媒体に取り込まれているコンテンツを、所定のユーザインターフェースからのユーザによる選択に基づいて再生するコンテンツ再生装置であって、
前記記憶媒体に取り込まれているすべてのコンテンツにかかる属性を解析するコンテンツ属性解析手段と、
前記コンテンツ属性解析手段による前記すべてのコンテンツにかかる解析結果に基づいて、前記所定のユーザインターフェースを最適化するユーザインターフェース最適化手段と
を有することを特徴とするコンテンツ再生装置。
【請求項２】
内部の記憶媒体に取り込まれている視聴可能なコンテンツを、所定のユーザインターフェースからのユーザによる選択に基づいて再生するコンテンツ再生装置であって、
前記記憶媒体に取り込まれているすべての視聴可能なコンテンツを精査し、該コンテンツが収録される属性であるアルバムの数と、その他の属性の数とに基づいてコンテンツに対するユーザ嗜好性を解析し、この解析結果をユーザ嗜好性データテーブルに格納するユーザ嗜好性解析手段と、
前記ユーザ嗜好性解析手段によって解析されて前記ユーザ嗜好性データテーブルに格納された前記ユーザ嗜好性に基づき、前記所定のユーザインターフェースに配置するプレイリスト表示ボタンを最適化するユーザインターフェース最適化手段と、
前記ユーザインターフェース最適化手段によって最適化され、前記所定のユーザインターフェースに配置された前記プレイリスト表示ボタンに応じた前記コンテンツのプレイリストを生成するプレイリスト生成手段と
を有することを特徴とするコンテンツ再生装置。
【請求項３】
前記ユーザインターフェース最適化手段は、前記その他の属性の数が、前記アルバムの数と比べて所定値未満である場合に、前記コンテンツのアルバム名のプレイリストを表示するためのリスト表示ボタンのみを前記所定のユーザインターフェースに配置することを特徴とする請求項２に記載のコンテンツ再生装置。
【請求項４】
前記プレイリスト生成手段は、前記その他の属性に少なくともアーティスト名を含み、該アーティスト名の数が前記アルバムの数と比べて第１の所定値以上かつ第２の所定値未満であり、かつ該アーティスト名以外のその他の属性が前記アルバム数と比べて所定値未満である場合に、前記コンテンツのアルバム名のプレイリストに、該アルバム名をアーティスト名でソートさせるためのソートボタンを付加することを特徴とする請求項２または３に記載のコンテンツ再生装置。
【請求項５】
前記ユーザインターフェース最適化手段は、前記その他の属性に少なくともアーティスト名、ジャンル名および取り込み日付を含み、該アーティスト名の数が前記アルバムの数と比べて所定値以上であり、かつ該ジャンル名の数および該取り込み日付の数が前記アルバムの数と比べて所定値未満である場合に、前記コンテンツのアーティスト名のプレイリストおよびアルバム名のプレイリストをそれぞれ表示するためのリスト表示ボタンのみを前記所定のユーザインターフェースに配置することを特徴とする請求項２に記載のコンテンツ再生装置。
【請求項６】
前記プレイリスト生成手段は、前記アーティスト名の数が前記アルバムの数と比べて所定値以上であり、かつ前記ジャンル名の数および前記取り込み日付の数が前記アルバムの数と比べて所定値未満である場合に、前記コンテンツのアーティスト名のプレイリストに、該アーティスト名をソートさせるためのソートボタンを付加することを特徴とする請求項５に記載のコンテンツ再生装置。
【請求項７】
前記ユーザインターフェース最適化手段は、前記その他の属性に少なくともアーティスト名、ジャンル名および取り込み日付を含み、該アーティスト名の数および前記ジャンル名の数が前記アルバムの数と比べて所定値以上であり、かつ前記取り込み日付の数が前記アルバムの数と比べて所定値未満である場合に、前記コンテンツのアーティスト名のプレイリストおよびアルバム名のプレイリストをそれぞれ表示するためのリスト表示ボタンとともに、前記コンテンツの再生順序を規定するプレイモードを選択させるプレイモード選択ボタンを前記所定のユーザインターフェースに配置することを特徴とする請求項２に記載のコンテンツ再生装置。
【請求項８】
前記その他の属性に少なくともアーティスト名、ジャンル名および取り込み日付を含み、該アーティスト名の数および前記取り込み日付の数が前記アルバムの数と比べて所定値以上であり、かつ前記ジャンル名の数が前記アルバムの数と比べて所定値未満である場合に、
前記ユーザインターフェース最適化手段は、前記コンテンツのアーティスト名のプレイリストおよびアルバム名のプレイリストをそれぞれ表示するためのリスト表示ボタンのみを前記所定のユーザインターフェースに配置し、
前記プレイリスト生成手段は、前記コンテンツのアーティスト名のプレイリストおよびアルバム名のプレイリストに、取り込み日付が最新である所定数のアーティスト名およびアルバム名を最上位に表示する最上位表示領域を追加する
ことを特徴とする請求項２に記載のコンテンツ再生装置。
【請求項９】
コンテンツ再生装置の記憶媒体に取り込まれている視聴可能なコンテンツを再生のために選択させる所定のユーザインターフェースを最適化するユーザインターフェース最適化方法であって、
前記記憶媒体に取り込まれているすべての視聴可能なコンテンツを精査し、該コンテンツが収録される属性であるアルバムの数と、その他の属性の数とを集計してコンテンツに対するユーザ嗜好性を解析し、この解析結果をユーザ嗜好性データテーブルに格納するユーザ嗜好性解析工程と、
前記ユーザ嗜好性解析工程によって解析されて前記ユーザ嗜好性データテーブルに格納された前記ユーザ嗜好性に基づき、前記所定のユーザインターフェースに配置するプレイリスト表示ボタンを最適化するユーザインターフェース最適化工程と、
前記ユーザインターフェース最適化工程によって最適化され、前記所定のユーザインターフェースに配置された前記プレイリスト表示ボタンに応じた前記コンテンツのプレイリストを生成するプレイリスト生成工程と
を含んだことを特徴とするユーザインターフェース最適化方法。
【請求項１０】
コンテンツ再生装置の記憶媒体に取り込まれている視聴可能なコンテンツを再生のために選択させる所定のユーザインターフェースを最適化するユーザインターフェース最適化処理をマイクロ・コンピュータに実行させるユーザインターフェース最適化プログラムであって、
前記記憶媒体に取り込まれているすべての視聴可能なコンテンツを精査し、該コンテンツが収録される属性であるアルバムの数と、その他の属性の数とを集計してコンテンツに対するユーザ嗜好性を解析し、この解析結果をユーザ嗜好性データテーブルに格納するユーザ嗜好性解析ステップと、
前記ユーザ嗜好性解析ステップによって解析されて前記ユーザ嗜好性データテーブルに格納された前記ユーザ嗜好性に基づき、前記所定のユーザインターフェースに配置するプレイリスト表示ボタンを最適化するユーザインターフェース最適化ステップと、
前記ユーザインターフェース最適化ステップによって最適化され、前記所定のユーザインターフェースに配置された前記プレイリスト表示ボタンに応じた前記コンテンツのプレイリストを生成するプレイリスト生成ステップと
を前記マイクロ・コンピュータに実行させることを特徴とするユーザインターフェース最適化プログラム。
【発明の詳細な説明】
【技術分野】
【０００１】
本発明は、内部の記憶媒体に記憶されるコンテンツを、所定のユーザインターフェースからのユーザによる選択に基づいて再生するコンテンツ再生装置、このコンテンツ再生装置で使用されるユーザインターフェースの最適化方法および該ユーザインターフェースの最適化プログラムに関し、特に、該コンテンツ再生装置の内部の記憶媒体に格納されたコンテンツのなかから、所望するコンテンツをユーザに迅速に選択させるというニーズを十分に満たしうるコンテンツ再生装置、ユーザインターフェース最適化方法およびユーザインターフェース最適化プログラムに関する。
【背景技術】
【０００２】
近年、ハードディスクなどの大容量の記憶媒体に、楽曲や映像などのコンテンツのデータを大量に格納しておき、この記憶媒体からコンテンツデータを読み出すことによってコンテンツを楽しむことができるコンテンツ再生装置が普及してきている。
【０００３】
そして、かかるコンテンツ再生装置には、これらの大量のコンテンツデータから再生するコンテンツデータを、所定の条件に従って効率的に再生するために、再生順序を規定するプレイモードに従ってコンテンツを再生する機能が備えられていることが一般的である。
【０００４】
かかるプレイモードには、複数種類のモードが用意される。そして、ユーザは、この複数種類のモードから所望のモードを選択する。コンテンツ再生装置は、選択されたモードに従って、記憶媒体に格納されるコンテンツを順次再生することとなる。
【０００５】
このようなプレイリストの生成例としては、例えば、特許文献１に開示されるように、ユーザの項目指定に応じて記憶媒体に格納される楽曲をグルーピングし、各グループの代表曲の特徴部分を順次再生し、この特徴部分に基づいてユーザによって選択されたグループの楽曲を再生するオーディオプレーヤが提案されていた。このオーディオプレーヤによれば、ユーザが所望する特徴を有する楽曲を効率的に選択させることが可能になる。
【０００６】
また、特許文献２には、コンテンツ再生装置におけるユーザの再生楽曲の選択に利用可能なユーザインターフェースであるアイコンの再配置装置が開示されている。このアイコン再配置装置は、ユーザによって使用されたアイコンの使用回数を記憶し、記憶回数の多い順番でソートしてアイコンを再配置するため、楽曲が対応付けられたアイコンであれば、ユーザによって再生された回数が多い楽曲に対応するアイコンがリストの上位に表示されることになるので、ユーザ嗜好に基づいて効率的に楽曲選択をおこなわせることが可能になる。
【０００７】
また、特許文献３には、過去にユーザによる地図の検索履歴情報を記憶しておき、この検索履歴情報を解析することによって該ユーザの検索傾向を把握し、この検索傾向に基づいて、最も検索される尤度が高いと推定される地図を初期画面として表示させる地図情報検索装置が開示されている。また、この地図情報検索装置は、表示させる地図を変更するための地図検索メニューの検索条件入力部分に、検索傾向に基づいて、最も検索される尤度が高いと推定される情報を予め入力しておくことも可能である。この地図情報検索装置によれば、ユーザの検索傾向に基づいて、最も検索される尤度が高いと推定される地図や情報を効率的にユーザに利用させることが可能になる。この地図情報検索装置の地図検索方法の基本的なアイデアを楽曲に応用することによって、ユーザ所望の楽曲の効率的な再生が可能になる。
【０００８】
【特許文献１】特開２００２−７４９１１号公報
【特許文献２】特開平６−１７５８１３号公報
【特許文献３】特開２００２−１７５３０１号公報
【発明の開示】
【発明が解決しようとする課題】
【０００９】
しかしながら、上記特許文献１に代表される従来技術では、ユーザが所望する特徴を有する楽曲を選択するために、グルーピングされた各グループの代表曲の特徴部分を順次再生し、この特徴部分に基づいてユーザによって楽曲のグループが選択されることとなるために、ユーザは、各グループの代表曲の特徴部分を順次試聴しなければならないという煩わしさがあった。
【００１０】
また、上記特許文献２に代表される従来技術では、楽曲が対応付けられたアイコンの整列順序は、ユーザが当該楽曲を聴いた回数に基づくために、頻繁に聴いていた楽曲を必ずしも選択するとは限らない場合（例えば、コンテンツ再生装置の記憶媒体に新たに追加された楽曲を選択したい場合など）には対応できず、ユーザのニーズを十分に満たしえない場合があり、必ずしも使い勝手がよいものとはいえなかった。
【００１１】
また、上記特許文献２に代表される従来技術を楽曲選択に応用したとしても、単にユーザの過去の検索傾向のみに基づいて最も検索される尤度が高いと推定される楽曲を優先的に再生するだけであるので、コンテンツ再生装置の記憶媒体に新たに楽曲が追加格納された場合には、この楽曲は優先再生の対象とはなりえないため、ユーザの要望を十分に満たしうるものではなかった。
【００１２】
このように、コンテンツ再生装置の記憶媒体に格納されている楽曲は、いずれもユーザが当該コンテンツ再生装置で再生する目的で格納した楽曲であるので、上記特許文献１〜３の従来技術を組み合わせたとしても、それらのなかから所望する楽曲をユーザに迅速に選択させるというニーズを十分に満たしうるものではなかった。
【００１３】
本発明は、上記問題点（課題）を解消するためになされたものであって、いずれもユーザが再生することを目的として当該コンテンツ再生装置の内部の記憶媒体に格納されたコンテンツのなかから、所望するコンテンツをユーザに迅速に選択させるというニーズを十分に満たしうるコンテンツ再生装置を提供することを目的とする。
【課題を解決するための手段】
【００１４】
上述した問題を解決し、目的を達成するため、本発明は、内部の記憶媒体に取り込まれているコンテンツを、所定のユーザインターフェースからのユーザによる選択に基づいて再生するコンテンツ再生装置であって、前記記憶媒体に取り込まれているすべてのコンテンツにかかる属性を解析するコンテンツ属性解析手段と、前記コンテンツ属性解析手段による前記すべてのコンテンツにかかる解析結果に基づいて、前記所定のユーザインターフェースを最適化するユーザインターフェース最適化手段とを有することを特徴とする。
【００１５】
また、本発明は、内部の記憶媒体に取り込まれている視聴可能なコンテンツを、所定のユーザインターフェースからのユーザによる選択に基づいて再生するコンテンツ再生装置であって、前記記憶媒体に取り込まれているすべての視聴可能なコンテンツを精査し、該コンテンツが収録される属性であるアルバムの数と、その他の属性の数とに基づいてコンテンツに対するユーザ嗜好性を解析し、この解析結果をユーザ嗜好性データテーブルに格納するユーザ嗜好性解析手段と、前記ユーザ嗜好性解析手段によって解析されて前記ユーザ嗜好性データテーブルに格納された前記ユーザ嗜好性に基づき、前記所定のユーザインターフェースに配置するプレイリスト表示ボタンを最適化するユーザインターフェース最適化手段と、前記ユーザインターフェース最適化手段によって最適化され、前記所定のユーザインターフェースに配置された前記プレイリスト表示ボタンに応じた前記コンテンツのプレイリストを生成するプレイリスト生成手段とを有することを特徴とする。
【００１６】
また、本発明は、上記発明において、前記ユーザインターフェース最適化手段は、前記その他の属性の数が、前記アルバムの数と比べて所定値未満である場合に、前記コンテンツのアルバム名のプレイリストを表示するためのリスト表示ボタンのみを前記所定のユーザインターフェースに配置することを特徴とする。
【００１７】
また、本発明は、上記発明において、前記プレイリスト生成手段は、前記その他の属性に少なくともアーティスト名を含み、該アーティスト名の数が前記アルバムの数と比べて第１の所定値以上かつ第２の所定値未満であり、かつ該アーティスト名以外のその他の属性が前記アルバム数と比べて所定値未満である場合に、前記コンテンツのアルバム名のプレイリストに、該アルバム名をアーティスト名でソートさせるためのソートボタンを付加することを特徴とする。
【００１８】
また、本発明は、上記発明において、前記ユーザインターフェース最適化手段は、前記その他の属性に少なくともアーティスト名、ジャンル名および取り込み日付を含み、該アーティスト名の数が前記アルバムの数と比べて所定値以上であり、かつ該ジャンル名の数および該取り込み日付の数が前記アルバムの数と比べて所定値未満である場合に、前記コンテンツのアーティスト名のプレイリストおよびアルバム名のプレイリストをそれぞれ表示するためのリスト表示ボタンのみを前記所定のユーザインターフェースに配置することを特徴とする。
【００１９】
また、本発明は、上記発明において、前記プレイリスト生成手段は、前記アーティスト名の数が前記アルバムの数と比べて所定値以上であり、かつ前記ジャンル名の数および前記取り込み日付の数が前記アルバムの数と比べて所定値未満である場合に、前記コンテンツのアーティスト名のプレイリストに、該アーティスト名をソートさせるためのソートボタンを付加することを特徴とする。
【００２０】
また、本発明は、上記発明において、前記ユーザインターフェース最適化手段は、前記その他の属性に少なくともアーティスト名、ジャンル名および取り込み日付を含み、該アーティスト名の数および前記ジャンル名の数が前記アルバムの数と比べて所定値以上であり、かつ前記取り込み日付の数が前記アルバムの数と比べて所定値未満である場合に、前記コンテンツのアーティスト名のプレイリストおよびアルバム名のプレイリストをそれぞれ表示するためのリスト表示ボタンとともに、前記コンテンツの再生順序を規定するプレイモードを選択させるプレイモード選択ボタンを前記所定のユーザインターフェースに配置することを特徴とする。
【００２１】
また、本発明は、上記発明において、前記その他の属性に少なくともアーティスト名、ジャンル名および取り込み日付を含み、該アーティスト名の数および前記取り込み日付の数が前記アルバムの数と比べて所定値以上であり、かつ前記ジャンル名の数が前記アルバムの数と比べて所定値未満である場合に、前記ユーザインターフェース最適化手段は、前記コンテンツのアーティスト名のプレイリストおよびアルバム名のプレイリストをそれぞれ表示するためのリスト表示ボタンのみを前記所定のユーザインターフェースに配置し、前記プレイリスト生成手段は、前記コンテンツのアーティスト名のプレイリストおよびアルバム名のプレイリストに、取り込み日付が最新である所定数のアーティスト名およびアルバム名を最上位に表示する最上位表示領域を追加することを特徴とする。
【００２２】
また、本発明は、コンテンツ再生装置の記憶媒体に取り込まれている視聴可能なコンテンツを再生のために選択させる所定のユーザインターフェースを最適化するユーザインターフェース最適化方法であって、前記記憶媒体に取り込まれているすべての視聴可能なコンテンツを精査し、該コンテンツが収録される属性であるアルバムの数と、その他の属性の数とを集計してコンテンツに対するユーザ嗜好性を解析し、この解析結果をユーザ嗜好性データテーブルに格納するユーザ嗜好性解析工程と、前記ユーザ嗜好性解析工程によって解析されて前記ユーザ嗜好性データテーブルに格納された前記ユーザ嗜好性に基づき、前記所定のユーザインターフェースに配置するプレイリスト表示ボタンを最適化するユーザインターフェース最適化工程と、前記ユーザインターフェース最適化工程によって最適化され、前記所定のユーザインターフェースに配置された前記プレイリスト表示ボタンに応じた前記コンテンツのプレイリストを生成するプレイリスト生成工程とを含んだことを特徴とする。
【００２３】
また、本発明は、コンテンツ再生装置の記憶媒体に取り込まれている視聴可能なコンテンツを再生のために選択させる所定のユーザインターフェースを最適化するユーザインターフェース最適化処理をマイクロ・コンピュータに実行させるユーザインターフェース最適化プログラムであって、前記記憶媒体に取り込まれているすべての視聴可能なコンテンツを精査し、該コンテンツが収録される属性であるアルバムの数と、その他の属性の数とを集計してコンテンツに対するユーザ嗜好性を解析し、この解析結果をユーザ嗜好性データテーブルに格納するユーザ嗜好性解析ステップと、前記ユーザ嗜好性解析ステップによって解析されて前記ユーザ嗜好性データテーブルに格納された前記ユーザ嗜好性に基づき、前記所定のユーザインターフェースに配置するプレイリスト表示ボタンを最適化するユーザインターフェース最適化ステップと、前記ユーザインターフェース最適化ステップによって最適化され、前記所定のユーザインターフェースに配置された前記プレイリスト表示ボタンに応じた前記コンテンツのプレイリストを生成するプレイリスト生成ステップとを前記マイクロ・コンピュータに実行させることを特徴とする。
【発明の効果】
【００２４】
本発明によれば、記憶媒体に取り込まれているすべてのコンテンツにかかる属性に基づいてユーザインターフェースを最適化するので、ユーザによる再生コンテンツの選択の効率性を高め、利便性を向上させることが可能になるという効果を奏する。
【００２５】
また、本発明によれば、記憶媒体に取り込まれているすべての視聴可能なコンテンツが収録されるアルバムの数と、その他の属性の数とに基づくコンテンツに対するユーザ嗜好性に基づきユーザインターフェースのプレイリスト表示ボタンを最適化し、このプレイリスト表示ボタンに応じたコンテンツのプレイリストを生成するので、ユーザによる再生コンテンツの選択の効率性を高め、利便性を向上させることが可能になるという効果を奏する。
【００２６】
また、本発明によれば、その他の属性の数のいずれもが、アルバムの種類数と比べて所定値未満である場合に、コンテンツのアルバム名のプレイリストを表示するためのリスト表示ボタンのみを所定のユーザインターフェースに配置するので、記憶媒体に取り込まれているコンテンツの数が少ない場合に、これに応じてユーザによる再生コンテンツの選択の効率性を高め、利便性を向上させることが可能になるという効果を奏する。
【００２７】
また、本発明によれば、その他の属性に少なくともアーティスト名を含み、該アーティスト名の数がアルバムの種類数と比べて第１の所定値以上かつ第２の所定値未満であり、かつ該アーティスト名以外のその他の属性がアルバムの種類数と比べて所定値未満である場合に、コンテンツのアルバム名のプレイリストに、該アルバム名をソートさせるためのソートボタンを付加するので、記憶媒体に取り込まれているアーティスト名の数がある程度多いものの、例えばコンテンツのジャンルの数および取り込み日付の数に偏りがあって少ない場合に、これに応じてユーザによる再生コンテンツのアルバムのアーティスト名による選択の効率性を高め、利便性を向上させることが可能になるという効果を奏する。
【００２８】
また、本発明によれば、例えばアーティスト名の数がアルバムの種類数と比べて所定値以上であり、かつジャンル名の数および取り込み日付の数がアルバムの種類数と比べて所定値未満である場合に、コンテンツのアーティスト名のプレイリストおよびアルバム名のプレイリストをそれぞれ表示するためのリスト表示ボタンのみを所定のユーザインターフェースに配置するので、記憶媒体に取り込まれているアーティスト名の数が多いものの、コンテンツのジャンルの数および取り込み日付の数に偏りがあって少ない場合に、これに応じてユーザによる再生コンテンツのアルバムのアーティスト名による選択の効率性を高め、利便性を向上させることが可能になるという効果を奏する。
【００２９】
また、本発明によれば、アーティスト名の数がアルバムの種類数と比べて所定値以上であり、かつジャンル名の数および取り込み日付の数がアルバムの種類数と比べて所定値未満である場合に、コンテンツのアーティスト名のプレイリストに、該アーティスト名をソートさせるためのソートボタンを付加するので、記憶媒体に取り込まれているアーティスト名の数がある程度多いものの、コンテンツのジャンル名の数および取り込み日付の数に偏りがあって少ない場合に、これに応じてユーザによる再生コンテンツのアーティスト名による選択の効率性を高め、利便性を向上させることが可能になるという効果を奏する。
【００３０】
また、本発明によれば、例えばアーティスト名の数およびジャンル名の数がアルバムの種類数と比べて所定値以上であり、かつ取り込み日付の数がアルバムの種類数と比べて所定値未満である場合に、コンテンツのアーティスト名のプレイリストおよびアルバム名のプレイリストをそれぞれ表示するためのリスト表示ボタンとともに、コンテンツの再生順序を規定するプレイモードを選択させるプレイモード選択ボタンを所定のユーザインターフェースに配置するので、記憶媒体に取り込まれているアーティスト名の数およびジャンルの数が多いものの、取り込み日付の数が少ない場合に、これに応じてユーザによる再生コンテンツの選択の効率性を高め、利便性を向上させるプレイモードを利用可能にするという効果を奏する。
【００３１】
また、本発明によれば、例えばアーティスト名の数および取り込み日付の数がアルバムの種類数と比べて所定値以上であり、かつジャンル名の数がアルバムの種類数と比べて所定値未満である場合に、コンテンツのアーティスト名のプレイリストおよびアルバム名のプレイリストをそれぞれ表示するためのリスト表示ボタンのみを所定のユーザインターフェースに配置し、コンテンツのアーティスト名のプレイリストおよびアルバム名のプレイリストに、取り込み日付が最新である所定数のアーティスト名およびアルバム名を最上位に表示する最上位表示領域を追加するので、記憶媒体に取り込まれているアーティスト名の数および取り込み日付の数が多いものの、コンテンツのジャンルの数に偏りがあって少ない場合に、これに応じてユーザによる再生コンテンツの選択の効率性を高め、利便性を向上させることが可能になるという効果を奏する。
【発明を実施するための最良の形態】
【００３２】
以下に添付図面を参照し、本発明のコンテンツ再生装置、ユーザインターフェース最適化方法およびユーザインターフェース最適化プログラムにかかる実施例を詳細に説明する。なお、以下に示す実施例では、本発明を、楽曲をコンテンツとするコンテンツ再生装置に適用した場合を示すこととするが、これに限定されず、動画や静止画、映像、文字データ、各種ソフトウェアなどをコンテンツとして再生、実行する装置であれば、広く一般に適用可能である。
【００３３】
また、以下の実施例で示すコンテンツ再生装置は、車載用のコンテンツ再生装置を想定している。しかし、これに限定されず、本発明は、業務用、家庭用を問わず、一般的なコンテンツ再生装置に適用可能である。また、以下の実施例では、コンテンツ再生装置が有する記憶媒体は、磁気ディスクであるとするが、これに限定されず、フラッシュメモリなどの不揮発性記憶媒体であってもよい。
【００３４】
以下の実施例でいう「ユーザインターフェース」は、原則として、アーティストプレイリスト選択ボタン、アルバムプレイリスト選択ボタン、プレイモードボタンが配置されるインターフェース画面を指す。しかし、アーティストプレイリスト、アルバムプレイリストが含まれてもよい。
【００３５】
以下の実施例で使用する「リッピング」という用語は、可搬型の記憶媒体に記録されて配布されるコンテンツを、コンテンツ再生装置が有する記憶媒体に取り込むことを指す。例えば、「リッピングアルバム数」とは、コンテンツ再生装置の記憶媒体に取り込まれたコンテンツのアルバムの数をいう。また、「リッピングアーティスト数」とは、コンテンツ再生装置の記憶媒体に取り込まれたコンテンツのアーティストの数をいう。また、「リッピングジャンル数」は、コンテンツ再生装置の記憶媒体に取り込まれたコンテンツのジャンルの数をいう。また、「リッピング回数」は、コンテンツ再生装置の記憶媒体にコンテンツが取り込まれた日付の数をいう。
【実施例】
【００３６】
先ず、実施例にかかるコンテンツ再生装置の構成について説明する。図１は、実施例にかかるコンテンツ再生装置の構成を示す機能ブロック図である。同図に示すように、実施例にかかるコンテンツ再生装置１０は、制御部１１と、記憶部１２と、ディスプレイなどの表示手段であり、後述のユーザインターフェースを表示する表示部１３ａと、音声発生手段であるスピーカ部１３ｂとを有する。
【００３７】
制御部１１は、コンテンツ再生装置１０の全体制御をつかさどる制御部である。コンテンツ再生装置１０の制御部１１は、実施例に密接に関連する構成として、コンテンツ再生処理部１１ａと、コンテンツ情報テーブル管理処理部１１ｂと、ユーザインターフェース最適化処理部１１ｃと、プレイリスト生成処理部１１ｄとを有する。
【００３８】
コンテンツ再生処理部１１ａは、ユーザによる楽曲の選択に応じて、もしくはプレイモードなどの自動楽曲選択に応じてコンテンツを再生する処理部である。コンテンツ情報テーブル管理処理部１１ｂは、所定のタイミング（例えば、コンテンツ再生装置１０の電源オン時や新たにコンテンツがコンテンツ再生装置１０に取り込まれた時など）を契機として、後述のコンテンツデータ格納テーブル１２ａに格納される全コンテンツデータを精査して、「リッピングアルバム数」、「リッピングアーティスト数」、「リッピングジャンル数」、「リッピング回数」のコンテンツ情報を算出して、この集計結果を後述のコンテンツ情報テーブル１２ｂへと格納する。
【００３９】
なお、「リッピングアルバム数」は、各コンテンツデータに付加されているアルバム名の数を集計することによって算出可能である。また、「リッピングアーティスト数」は、各コンテンツデータに付加されているアーティスト名の数を集計することによって算出可能である。また、「リッピングジャンル数」は、各コンテンツデータに付加されているジャンル名の数を集計することによって算出可能である。また、「リッピング回数」は、リッピング後の各コンテンツデータに付加されているリッピング日の数を集計することによって算出可能である。
【００４０】
ユーザインターフェース最適化処理部１１ｃは、後述のコンテンツ情報テーブル１２ｂを参照して、リッピングアルバム数に対するリッピングアーティスト数、リッピングジャンル数、リッピング回数の比率をそれぞれ算出する。そして、この比率に基づき、表示部１３ａにユーザによるコンテンツ選択のために表示させるユーザインターフェースにおいて、どのようなプレイリストを表示させるためのプレイリスト表示ボタンを配置するかを決定する。プレイリストは、コンテンツの再生順序を規定するリストである。プレイリスト表示ボタンの配置決定を、ユーザインターフェース最適化処理という。
【００４１】
プレイリスト生成処理部１１ｄは、ユーザインターフェース最適化処理部１１ｃによってユーザインターフェースに配置が決定されたプレイリスト表示ボタンに対応するプレイリストを生成する。また、プレイリスト生成処理部１１ｄは、必要に応じて、プレイリストに、リストのソートに使用するためのショートカットキーを付加する処理をおこなう。
【００４２】
記憶部１２は、不揮発性の記憶媒体からなる記憶手段である。記憶部１２は、コンテンツデータを格納するコンテンツデータ格納テーブル１２ａと、コンテンツ情報を格納するコンテンツ情報テーブル１２ｂとを含む。
【００４３】
次に、図１に示したコンテンツデータ格納テーブル１２ａのテーブルについて説明する。図２は、図１に示したコンテンツデータ格納テーブル１２ａのテーブルの例を示す図である。同図に示すように、コンテンツデータ格納テーブル１２ａは、「アルバム名」と、「アーティスト名」と、「ジャンル名」と、「発売日」と、「リッピング日」と、「再生回数」とが「コンテンツデータ」に対応付けられて格納されている。
【００４４】
「アルバム名」は、前述の「リッピングアルバム数」を算出する際に参照される。「アーティスト名」は、前述の「リッピングアーティスト数」を算出するために使用される。「ジャンル名」は、前述の「リッピングジャンル数」を算出するために使用される。「リッピング日」は、前述の「リッピング回数」を算出するために使用される。
【００４５】
「発売日」は、アルバムのプレイリストに表示されるアルバムを、発売日の昇順（発売日が古い順序）または降順（発売日が新しい順序）でソートするために参照される。また、「再生回数」は、プレイモードにおいて、「マイベスト順」と呼ばれる再生回数が多い順序でコンテンツを再生する際に参照される。
【００４６】
次に、図１に示したコンテンツ情報テーブル１２ｂのテーブルについて説明する。図３は、図１に示したコンテンツ情報テーブル１２ｂのテーブルの例を示す図である。同図に示すように、コンテンツ情報テーブル１２ｂは、「リッピングアルバム数」と、「リッピングアーティスト数」と、「リッピングジャンル数」と、「リッピング回数」とが格納されている。これらの数値は、ユーザインターフェース最適化処理部１１ｃによるユーザインターフェース最適化処理において参照される。
【００４７】
次に、図１に示したコンテンツ再生装置１０で実行されるユーザインターフェース最適化処理手順について説明する。図４は、図１に示したコンテンツ再生装置１０で実行されるユーザインターフェース最適化処理手順を示すフローチャートである。なお、同図で使用するα、β、γ１、γ２は、リッピングアルバム数に対するリッピングジャンル数の比率、リッピングアルバム数に対するリッピング回数の比率、リッピングアルバム数に対するリッピングアーティスト数の比率のそれぞれの所定閾値をあらわす。０＜α＜１、０＜β＜１、０＜γ１＜γ２＜１である。
【００４８】
同図に示すように、先ず、ユーザインターフェース最適化処理部１１ｃは、リッピングアルバム数に対するリッピングジャンル数の比率がα未満であるか否かを判定する（ステップＳ１０１）。リッピングアルバム数に対するリッピングジャンル数の比率がα未満であると判定された場合に（ステップＳ１０１肯定）、ステップＳ１０２へ移り、リッピングアルバム数に対するリッピングジャンル数の比率がα未満であると判定されなかった場合に（ステップＳ１０１否定）、ステップS１０８へ移る。
【００４９】
ステップＳ１０２では、ユーザインターフェース最適化処理部１１ｃは、リッピングアルバム数に対するリッピング回数の比率がβ未満であるか否かを判定する。リッピングアルバム数に対するリッピング回数の比率がβ未満であると判定された場合に（ステップＳ１０２肯定）、ステップＳ１０３へ移り、リッピングアルバム数に対するリッピング回数の比率がβ未満であると判定されなかった場合に（ステップＳ１０２否定）、ステップＳ１１０へ移る。
【００５０】
ステップＳ１０３では、ユーザインターフェース最適化処理部１１ｃは、リッピングアルバム数に対するリッピングアーティスト数の比率がγ１未満であるか否かを判定する。リッピングアルバム数に対するリッピングアーティスト数の比率がγ１未満であると判定された場合に（ステップＳ１０３肯定）、ステップＳ１０４へ移り、リッピングアルバム数に対するリッピングアーティスト数の比率がγ１未満であると判定されなかった場合に（ステップＳ１０３否定）、ステップＳ１０５へ移る。
【００５１】
ステップＳ１０４では、ユーザインターフェース最適化処理部１１ｃは、ユーザインターフェースにアルバムプレイリストの選択ボタンのみを配置し、プレイリスト生成処理部１１ｄは、アーティストごとに発売日の昇順でアルバム名をソートしたアルバムプレイリストを生成する。この処理が終了すると、ユーザインターフェース最適化処理は終了する。
【００５２】
ステップＳ１０４のユーザインターフェース最適化処理が実行されるのは、リッピングアルバム数に対するリッピングアーティスト数の比率、リッピングアルバム数に対するリッピングジャンル数の比率、リッピングアルバム数に対するリッピング回数の比率のいずれもが所定値未満である場合、すなわち、同じジャンルのアーティストを好み、かつリッピング回数が少ないユーザであると判定される場合である。このような場合は、プレイモードを構築せず、アルバムプレイリストのみを表示可能とすることによって、ユーザは、効率的に所望のアルバムを選択して再生することが可能になる。
【００５３】
ステップＳ１０５では、ユーザインターフェース最適化処理部１１ｃは、リッピングアルバム数に対するリッピングアーティスト数の比率がγ１以上γ２未満であるか否かを判定する。リッピングアルバム数に対するリッピングアーティスト数の比率がγ１以上γ２未満であると判定された場合に（ステップＳ１０５肯定）、ステップＳ１０６へ移り、リッピングアルバム数に対するリッピングアーティスト数の比率がγ１以上γ２未満であると判定されなかった場合に（ステップＳ１０５否定）、ステップＳ１０７へ移る。
【００５４】
ステップＳ１０６では、ユーザインターフェース最適化処理部１１ｃは、ユーザインターフェースにアルバムプレイリストの選択ボタンのみを配置し、プレイリスト生成処理部１１ｄは、アーティストごとに発売日の昇順でアルバム名をソートしたアルバムプレイリストを生成する。さらに、プレイリスト生成処理部１１ｄは、アルバムプレイリストにソートボタンを付加する。この処理が終了すると、ユーザインターフェース最適化処理は終了する。
【００５５】
ステップＳ１０６のユーザインターフェース最適化処理が実行されるのは、リッピングアルバム数に対するリッピングアーティスト数の比率が第１の所定値以上第２の所定値未満であり、リッピングアルバム数に対するリッピングジャンル数の比率、リッピングアルバム数に対するリッピング回数の比率のいずれもが所定値未満である場合、すなわち、比較的同一のジャンルのアーティストを好み、かつリッピング回数が少ないユーザであると判定される場合である。このような場合は、プレイモードを構築せず、アルバムプレイリストにアーティスト名をソートするためのソートボタンを付加して表示することによって、ユーザは、効率的に所望のアルバムを選択して再生することが可能になる。
【００５６】
ステップＳ１０７では、ユーザインターフェース最適化処理部１１ｃは、ユーザインターフェースにアルバムプレイリストの選択ボタンおよびアーティストプレイリストの選択ボタンのみを配置し、プレイリスト生成処理部１１ｄは、アーティスト名をソートしたアルバムプレイリスト、アーティストごとに発売日の昇順でアルバム名をソートしたアーティストプレイリストを生成する。さらに、プレイリスト生成処理部１１ｄは、アーティストプレイリストにソートボタンを付加する。この処理が終了すると、ユーザインターフェース最適化処理は終了する。
【００５７】
ステップＳ１０７のユーザインターフェース最適化処理が実行されるのは、リッピングアルバム数に対するリッピングアーティスト数の比率が所定値以上であり、リッピングアルバム数に対するリッピングジャンル数の比率、リッピングアルバム数に対するリッピング回数の比率のいずれもが所定値未満である場合、すなわち、比較的同一のジャンルのアーティストを好むがアーティストのバリエーションが多く、かつリッピング回数が少ないユーザであると判定される場合である。このような場合は、プレイモードを構築せず、アーティストプレイリストおよびアルバムプレイリストのみをそれぞれ表示させるための選択ボタンを配置し、アーティストプレイリストにはアーティスト名をソートするためのソートボタンを付加して表示することによって、ユーザは、効率的に所望のアルバムを選択して再生することが可能になる。
【００５８】
ステップＳ１０８では、ユーザインターフェース最適化処理部１１ｃは、リッピングアルバム数に対するリッピングアーティスト数の比率がγ２以上であるか否かを判定する。リッピングアルバム数に対するリッピングアーティスト数の比率がγ２以上であると判定された場合に（ステップＳ１０８肯定）、ステップＳ１０９へ移り、リッピングアルバム数に対するリッピングアーティスト数の比率がγ２以上であると判定されなかった場合に（ステップＳ１０８否定）、ステップＳ１１０へ移る。
【００５９】
ステップＳ１０９では、ユーザインターフェース最適化処理部１１ｃは、リッピングアルバム数に対するリッピング回数の比率がβ未満であるか否かを判定する。リッピングアルバム数に対するリッピング回数の比率がβ未満であると判定された場合に（ステップＳ１０９肯定）、ステップＳ１１０へ移り、リッピングアルバム数に対するリッピング回数の比率がβ未満であると判定されなかった場合に（ステップＳ１０９否定）、ステップＳ１１１へ移る。
【００６０】
ステップＳ１１０では、ユーザインターフェース最適化処理部１１ｃは、ユーザインターフェースにアルバムプレイリストの選択ボタンおよびアーティストプレイリストの選択ボタン、プレイモードボタンを配置し、プレイリスト生成処理部１１ｄは、アーティスト名をソートしたアーティストプレイリスト、アーティストごとに発売日の昇順でアルバム名をソートしたアルバムプレイリストを生成する。さらに、プレイリスト生成処理部１１ｄは、アルバムプレイリストにソートボタンを付加する。この処理が終了すると、ユーザインターフェース最適化処理は終了する。
【００６１】
ステップＳ１１０のユーザインターフェース最適化処理が実行されるのは、リッピングアルバム数に対するリッピングジャンル数の比率が所定値以上である場合、すなわち、比較的多岐にわたるジャンルのアーティストを好むユーザであると判定される場合である。このような場合は、プレイモードを構築し、アーティストプレイリストおよびアルバムプレイリストをそれぞれ表示させるための選択ボタンを配置し、アーティストプレイリストにはアーティスト名をソートするためのソートボタンを付加して表示することによって、ユーザは、効率的に所望のアルバムを選択して再生することが可能になる。
【００６２】
ステップＳ１１１では、ユーザインターフェース最適化処理部１１ｃは、ユーザインターフェースにアルバムプレイリストの選択ボタンおよびアーティストプレイリストの選択ボタンのみを配置し、プレイリスト生成処理部１１ｄは、リストの先頭に直近のリッピングアーティスト名の表示領域が設けられてアーティスト名をソートしたアルバムプレイリスト、リストの先頭に直近のリッピングアルバム名の表示領域が設けられてアーティストごとに発売日の昇順でアルバム名をソートしたアルバムプレイリストを生成する。さらに、プレイリスト生成処理部１１ｄは、アーティストプレイリストにソートボタンを付加する。この処理が終了すると、ユーザインターフェース最適化処理は終了する。
【００６３】
ステップＳ１１１のユーザインターフェース最適化処理が実行されるのは、リッピングアルバム数に対するリッピングアーティスト数の比率が所定値以上であり、リッピングアルバム数に対するリッピングジャンル数の比率が所定値未満、リッピングアルバム数に対するリッピング回数の比率が所定値以上である場合、すなわち、比較的同一のジャンルのアーティストを好むがアーティストのバリエーションが多く、かつリッピング回数も多いユーザであると判定される場合である。このような場合は、プレイモードを構築せず、アーティストプレイリストおよびアルバムプレイリストのみをそれぞれ表示させるための選択ボタンを配置し、アーティストプレイリストおよびアルバムプレイリストの先頭部分に直近のリッピングアーティスト名およびリッピングアルバム名を表示する。さらに、プレイリストにはアーティスト名をソートするためのソートボタンを付加して表示する。このようにすることによって、ユーザは、効率的に所望のアルバムを選択して再生することが可能になる。
【００６４】
次に、図５−１〜図８−２を参照して、最適化されたユーザインターフェースの例を説明する。ユーザインターフェースは、表示部１３ａの表示画面に表示される。表示部１３ａの表示画面にはタッチパネルが配設されているため、ユーザインターフェースに表示されるボタンの押下操作が可能である。
【００６５】
先ず、図４のステップＳ１０４の処理で最適化されたユーザインターフェースの例を説明する。図５−１は、図４のステップＳ１０４の処理で最適化されたユーザインターフェースの例を示す図である。リッピングアルバム数に対するリッピングアーティスト数の比率、リッピングジャンル数の比率およびリッピング回数の比率のいずれもが所定値未満の場合には、同図に示すように、ユーザインターフェース５００には、アルバムプレイリストを表示させるためのアルバム選択ボタン５０１のみが表示される。
【００６６】
なお、楽曲セレクトボタン５２０は、現在再生中のコンテンツの前に再生順序が順序付けられているコンテンツへ変更して再生するためのボタンである。また、楽曲セレクトボタン５２１は、現在再生中のコンテンツの後に再生順序が順序付けられているコンテンツへ変更して再生するためのボタンである。これら楽曲セレクトボタン５２０および楽曲セレクトボタン５２１は、ユーザインターフェース５００の最適化処理結果に無関係に常に表示される。
【００６７】
図５−１に示すアルバム選択ボタン５０１が押下されると、ユーザインターフェース５００は、図５−２に示すようなアルバムプレイリストに遷移する。このアルバムプレイリストは、全てのアルバム名をリストにしたものである。例えば、表示部分５１１に示すような“アーティストＡ”のアルバムプレイリスト、および、表示部分５１２に示すような“アーティストＢ”のアルバムプレイリストを、全てのアーティストについて連結したアルバムプレイリストが生成される。
【００６８】
このアルバムプレイリストは、アーティストごとに、古い発売日の順序で各アーティストのアルバム名をリストする。このアルバムプレイリストは、アルバムの自動再生順序を規定するのみならず、このアルバムプレイリストにリストされるアルバム名が押下されることによって、ユーザは、所望のアルバムをダイレクトに再生することが可能になる。
【００６９】
なお、図５−１および図５−２に示した状態から、リッピングアーティスト数がある程度増加した場合、すなわち、図４に示したステップＳ１０６の場合に、図５−１に示すアルバム選択ボタン５０１が押下されると、ユーザインターフェース５００は、図５−３に示すようなアルバムプレイリストに遷移する。このアルバムプレイリストには、アーティスト名をソートするための例えば「５０音順かな」などの文字配列のショートカットキー５１９ａを付加して表示されている。このショートカットキー５１９ａによって、ユーザは、所望のアーティストのアルバム名をアルバムプレイリストの上位に表示させることが可能になる。
【００７０】
次に、図４のステップＳ１０７の処理で最適化されたユーザインターフェースの例を説明する。図６−１は、図４のステップＳ１０７の処理で最適化されたユーザインターフェースの例を示す図である。リッピングアルバム数に対するリッピングアーティスト数の比率が所定値以上で、リッピングアルバム数に対するリッピングジャンル数の比率およびリッピング回数の比率が所定値未満の場合には、同図に示すように、ユーザインターフェース５００には、アルバムプレイリストを表示させるためのアルバム選択ボタン５０１、および、アーティストプレイリストを表示させるためのアーティスト選択ボタン５０２のみが表示される。
【００７１】
なお、楽曲セレクトボタン５２０および楽曲セレクトボタン５２１は、図５−１に示したユーザインターフェース５００と同様に、ユーザインターフェース５００の最適化処理結果に無関係に常に表示される。
【００７２】
図６−１に示すアーティスト選択ボタン５０２が押下されると、ユーザインターフェース５００は、図６−２に示すようなアーティストプレイリストに遷移する。このアーティストプレイリストは、全てのアーティスト名をリストにしたものである。例えば、表示部分５１３に示すような「あ」で始まるアーティスト名のアーティストプレイリスト、表示部分５１４に示すような「い」で始まるアーティスト名のアーティストプレイリスト、表示部分５１５に示すような「う」で始まるアーティスト名のアーティストプレイリストを全てのアーティストについて連結した、例えば５０音順でアーティスト名がリストされたアーティストプレイリストが生成される。
【００７３】
なお、このアーティストプレイリストには、アーティスト名をソートするための例えば「５０音順かな」などの文字配列のショートカットキー５１９ｂを付加して表示されている。このショートカットキー５１９ｂによって、ユーザは、所望のアーティスト名をアーティストプレイリストの上位に表示させることが可能になる。
【００７４】
また、図６−１に示すアルバム選択ボタン５０１が押下されると、ユーザインターフェース５００は、図６−３に示すようなアルバムプレイリストに遷移する。このアルバムプレイリストは、当該時点において再生中のアーティストの全てのアルバム名をリストにしたものである。例えば、表示部分５１６に示すような、当該時点において再生中のアーティストの全てのアルバムプレイリストが生成される。
【００７５】
このアルバムプレイリストは、当該時点において再生中のアーティストのアルバムを、古い発売日の順序でリストする。このアルバムプレイリストは、アルバムの自動再生順序を規定するのみならず、このアルバムプレイリストにリストされるアルバム名が押下されることによって、ユーザは、所望のアルバムをダイレクトに再生することが可能になる。
【００７６】
次に、図４のステップＳ１１０の処理で最適化されたユーザインターフェースの例を説明する。図７−１は、図４のステップＳ１１０の処理で最適化されたユーザインターフェースの例を示す図である。リッピングアルバム数に対するリッピングアーティスト数の比率およびリッピングジャンル数の比率が所定値以上で、リッピングアルバム数に対するリッピング回数の比率が所定値未満の場合には、同図に示すように、ユーザインターフェース５００には、アルバムプレイリストを表示させるためのアルバム選択ボタン５０１、アーティストプレイリストを表示させるためのアーティスト選択ボタン５０２、プレイモードを選択するためのプレイモードボタン５０３が表示される。
【００７７】
なお、楽曲セレクトボタン５２０および楽曲セレクトボタン５２１は、図５−１および図６−１に示したユーザインターフェース５００と同様に、ユーザインターフェース５００の最適化処理結果に無関係に常に表示される。
【００７８】
図７−１に示すアルバム選択ボタン５０１およびアーティスト選択ボタン５０２が押下されると、図６−２および図６−３と同様のユーザインターフェース５００へと遷移する。さらに、図７−１に示すプレイモードボタン５０３が押下されると、図７−２に示すようなプレイモード画面へとユーザインターフェース５００が遷移する。プレイモード画面は、コンテンツの再生順序を規定する複数のプレイモードを選択させるためのインターフェース画面である。
【００７９】
図７−２に示すように、プレイモード画面には、アーティスト順プレイモードボタン５０４、リッピング日順プレイモードボタン５０５、ジャンル順プレイモードボタン５０６、ユーザマイベスト順プレイモードボタン５０７、トラック順プレイモードボタン５０８が配置される。
【００８０】
アーティスト順プレイモードボタン５０４が押下されると、例えば、アーティスト名の５０音順などでコンテンツが自動再生される。また、リッピング日順プレイモードボタン５０５が押下されると、リッピング日の昇順または降順でコンテンツが自動再生される。また、ジャンル順プレイモードボタン５０６が押下されると、ジャンルの所定順序でコンテンツが自動再生される。また、ユーザマイベスト順プレイモードボタン５０７が押下されると、再生回数の降順でコンテンツが自動再生される。また、トラック順プレイモードボタン５０８が押下されると、トラックの配置順でコンテンツが自動再生される。
【００８１】
次に、図４のステップＳ１１１の処理で最適化されたユーザインターフェースの例を説明する。リッピングアルバム数に対するリッピングアーティスト数の比率が所定値以上で、リッピングアルバム数に対するリッピングジャンル数の比率およびリッピング回数の比率が所定値未満でない場合には、ユーザインターフェース５００は、図６−１に示したものと同様になる。
【００８２】
この場合に、ユーザインターフェース５００のアーティスト選択ボタン５０２が押下されると、ユーザインターフェース５００は、図８−１に示すようなアーティストプレイリストに遷移する。このアーティストプレイリストは、図６−２に示したアーティストプレイリストに比べて、リストの先頭に、直近にコンテンツがリッピングされたアーティスト名を２つ表示する最新アーティスト名表示領域５１７が追加されている。なお、この最新アーティスト名表示領域５１７に表示されるアーティスト名は２つに限られるものではない。この最新アーティスト名表示領域５１７に表示されるアーティスト名によって、ユーザは、直近にコンテンツがリッピングされたアーティストのコンテンツの再生を、最新アーティスト名の押下という１回の操作で容易におこなうことが可能になる。
【００８３】
また、同じく、ユーザインターフェース５００のアルバム選択ボタン５０１が押下されると、ユーザインターフェース５００は、図８−２に示すようなアルバムプレイリストに遷移する。このアルバムプレイリストは、図６−３に示したアルバムプレイリストに比べて、リストの先頭に、直近にコンテンツがリッピングされたアルバム名を２つ表示する最新アルバム名表示領域５１８が追加されている。なお、この最新アルバム名表示領域５１８に表示されるアルバム名は２つに限られるものではない。この最新アルバム名表示領域５１８に表示されるアルバム名によって、ユーザは、直近にコンテンツがリッピングされたアルバムのコンテンツの再生を、最新アルバム名の押下という１回の操作で容易におこなうことが可能になる。
【００８４】
以上、本発明の実施例を説明したが、本発明は、これに限られるものではなく、特許請求の範囲に記載した技術的思想の範囲内で、更に種々の異なる実施例で実施されてもよいものである。また、実施例に記載した効果は、これに限定されるものではない。
【００８５】
例えば、通信手段介してコンテンツ再生装置が有する記憶媒体にコンテンツデータを格納し、通信手段を介して視聴を可能とするライセンスをコンテンツ提供者より受け取ることによって記憶媒体に記憶されているコンテンツを再生可能とするシステムにおいては、「リッピングアルバム数」をコンテンツ再生装置の記憶媒体に取り込まれたコンテンツの再生可能なアルバム数、「リッピングジャンル数」をコンテンツ再生装置の記憶媒体に取り込まれたコンテンツの再生可能なジャンル数、「リッピング回数」をコンテンツ再生装置の記憶媒体に取り込まれたコンテンツの視聴ライセンス取得日付の数、としてもよい。
【００８６】
また、通信手段を介してコンテンツ再生装置が有する記憶媒体にコンテンツデータを格納し、通信手段を介して視聴を可能とするライセンスをコンテンツ提供者より受け取ることによって記憶媒体に記憶されているコンテンツを再生可能とするシステムにおいては、「リッピングアルバム数」をコンテンツ再生装置の記憶媒体に取り込まれたコンテンツの再生可能なアルバムのうち一度でも再生が開始されたアルバムの数、「リッピングジャンル数」をコンテンツ再生装置の記憶媒体に取り込まれたコンテンツの再生可能なアルバムのうち一度でも再生が開始されたアルバムのジャンル名の数、「リッピング回数」をコンテンツ再生装置の記憶媒体に取り込まれたコンテンツの再生可能なアルバムがはじめて再生が開始された日付の数、としてもよい。
【００８７】
上記実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施例で示した処理手順、制御手順、具体的名称、各種のデータやパラメータを含む情報については、特記する場合を除いて任意に変更することができる。
【００８８】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００８９】
さらに、各装置にて行なわれる各処理機能は、その全部または任意の一部が、ＣＰＵ（Central Processing Unit）（またはＭＰＵ（Micro Processing Unit）、ＭＣＵ（Micro Controller Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【産業上の利用可能性】
【００９０】
本発明は、コンテンツ再生装置の内部の記憶媒体に格納されたコンテンツのなかから、所望するコンテンツをユーザに迅速に選択させるというニーズを満たしたい場合に有用である。
【図面の簡単な説明】
【００９１】
【図１】実施例にかかるコンテンツ再生装置の構成を示す機能ブロック図である。
【図２】コンテンツデータ格納テーブルの例を示す図である。
【図３】コンテンツ情報テーブルの例を示す図である。
【図４】ユーザインターフェース最適化処理手順を示すフローチャートである。
【図５−１】リッピングアルバム数に対するリッピングアーティスト数の比率、リッピングジャンル数の比率およびリッピング回数の比率のいずれもが所定値未満の場合のユーザインターフェースの例を示す図である。
【図５−２】リッピングアルバム数に対するリッピングアーティスト数の比率、リッピングジャンル数の比率およびリッピング回数の比率のいずれもが所定値未満の場合のアルバムプレイリストの例を示す図である。
【図５−３】リッピングアルバム数に対するリッピングジャンル数の比率およびリッピング回数の比率が所定値未満で、リッピングアルバム数に対するリッピングアーティスト数の比率が所定値以上の場合のアルバムプレイリストの例を示す図である。
【図６−１】リッピングアルバム数に対するリッピングアーティスト数の比率が所定値以上で、リッピングアルバム数に対するリッピングジャンル数の比率およびリッピング回数の比率が所定値未満の場合のユーザインターフェースの例を示す図である。
【図６−２】リッピングアルバム数に対するリッピングアーティスト数の比率が所定値以上で、リッピングアルバム数に対するリッピングジャンル数の比率およびリッピング回数の比率が所定値未満の場合のアーティストプレイリストの例を示す図である。
【図６−３】リッピングアルバム数に対するリッピングアーティスト数の比率が所定値以上で、リッピングアルバム数に対するリッピングジャンル数の比率およびリッピング回数の比率が所定値未満の場合のアルバムプレイリストの例を示す図である。
【図７−１】リッピングアルバム数に対するリッピングアーティスト数の比率およびリッピングジャンル数の比率が所定値以上で、リッピングアルバム数に対するリッピング回数の比率が所定値未満の場合のユーザインターフェースの例を示す図である。
【図７−２】リッピングアルバム数に対するリッピングアーティスト数の比率およびリッピングジャンル数の比率が所定値以上で、リッピングアルバム数に対するリッピング回数の比率が所定値未満の場合のプレイモードの表示例を示す図である。
【図８−１】リッピングアルバム数に対するリッピングアーティスト数の比率が所定値以上で、リッピングアルバム数に対するリッピングジャンル数の比率およびリッピング回数の比率が所定値未満でない場合のアーティストプレイリストの例を示す図である。
【図８−２】リッピングアルバム数に対するリッピングアーティスト数の比率が所定値以上で、リッピングアルバム数に対するリッピングジャンル数の比率およびリッピング回数の比率が所定値未満でない場合のアルバムプレイリストの例を示す図である。
【符号の説明】
【００９２】
１０    コンテンツ再生装置
１１    制御部
１１ａ    コンテンツ再生処理部
１１ｂ    コンテンツ情報テーブル管理処理部
１１ｃ    ユーザインターフェース最適化処理部
１１ｄ    プレイリスト生成処理部
１２    記憶部
１２ａ    コンテンツデータ格納テーブル
１２ｂ    コンテンツ情報テーブル
１３ａ    表示部
１３ｂ    スピーカ部
５００    ユーザインターフェース
５０１    アルバム選択ボタン
５０２    アーティスト選択ボタン
５０３    プレイモードボタン
５０４    アーティスト順プレイモードボタン
５０５    リッピング日順プレイモードボタン
５０６    ジャンル順プレイモードボタン
５０７    ユーザマイベスト順プレイモードボタン
５０８    トラック順プレイモードボタン
５１１、５１２、５１３、５１４、５１５、５１６    表示部分
５１７    最新アーティスト名表示領域
５１８    最新アルバム名表示領域
５１９ａ、５１９ｂ    ショートカットキー
５２０、５２１    楽曲セレクトボタン
【図１】
2009076158.tif 000003
【図２】
2009076158.tif 000004
【図３】
2009076158.tif 000005
【図４】
2009076158.tif 000006
【図５−１】
2009076158.tif 000007
【図５−２】
2009076158.tif 000008
【図５−３】
2009076158.tif 000009
【図６−１】
2009076158.tif 000010
【図６−２】
2009076158.tif 000011
【図６−３】
2009076158.tif 000012
【図７−１】
2009076158.tif 000013
【図７−２】
2009076158.tif 000014
【図８−１】
2009076158.tif 000015
【図８−２】
2009076158.tif 000016